(57)【要約】【課題】特定音を既存のリングバック・トーンの代わりに発信者に提供する方法及び装置を提供する。【解決手段】着信加入者の位置登録時に，既設定されたリングバック・トーンの代替可否に対する第１情報と，音源提供手段でルーティングするための第２情報とを，ホーム位置登録器１０からその着信交換機に提供し；着信交換機で，任意の発信者から着信加入者に対する呼接続要請認知時に，提供された第１情報及び第２情報に基づいて，発信者にリングバック・トーンを提供したり，または，音源提供手段にトランク呼接続要請して着信加入者情報を提供し；音源提供手段で，着信加入者情報に基づいて既指定された音源を探索して，その探索された音源をリングバック・トーンの代わりにしてトランク呼接続された着信交換機を通して発信者に提供して構成されるリングバック・トーンサウンドの提供方法。【選択図】図１
2006311616.tif 000002
【特許請求の範囲】
【請求項１】
通信網におけるリングバック・トーンサウンドの提供方法であって，
ホーム位置登録器において，端末機の位置が登録される際，既設定されたリングバック・トーンの代替サービスに加入しているか否かを示す加入情報，及び，前記リングバック・トーンの代替サービスに加入している加入者による切り替えが可能であって，前記リングバック・トーンの代替サービスを行う活性状態，及び，前記リングバック・トーンの代替サービスを行わない非活性状態のいずれかであることを示す活性情報を有する第１情報と，音源提供手段にルーティングするための第２情報とを，交換機に提供するための第１段階と；
呼が着信された交換機において，前記加入情報が前記リングバック・トーンの代替サービスに加入していないことを示しているとき，及び，前記加入情報が前記リングバック・トーンの代替サービスに加入していることを示し，且つ，前記活性情報が前記非活性状態にあることを示しているときのいずれかのときに，前記呼の発信者にリングバック・トーンを提供し，
前記加入情報が前記リングバック・トーンの代替サービスに加入していることを示し，且つ，前記活性情報が前記活性状態にあることを示しているときに，前記提供された前記第１情報及び前記第２情報に基づいて，前記音源提供手段にトランク呼接続を要請して加入者識別情報を提供する第２段階と；
前記音源提供手段において，前記加入者識別情報に対して既指定された音源を探索して，その探索された音源をリングバック・トーンの代わりにトランク呼接続された前記交換機を通して前記発信者に提供する第３段階と；
を含んで構成されることを特徴とする，リングバック・トーンサウンドの提供方法。
【請求項２】
前記第１情報は，前記加入者の移動端末機から生成伝送されて受信された特定キー情報に基づいて設定された情報であることを特徴とする，請求項１に記載のリングバック・トーンサウンドの提供方法。
【請求項３】
前記第１情報及び前記第２情報は，前記ホーム位置登録器から前記着信交換機に降ろして与える位置登録応答メッセージ内に含まれて提供されることを特徴とする，請求項１または２に記載のリングバック・トーンサウンドの提供方法。
【請求項４】
前記第１情報は，加入者プロファイルの付加サービス加入情報を表示するパラメータの予備フィールドに記録されることを特徴とする，請求項１，２，または３のうちのいずれか１項に記載のリングバック・トーンサウンドの提供方法。
【請求項５】
前記着信交換機は，前記加入者の呼応答認知時に前記音源提供手段とのトランク呼解除を要請し，前記音源提供手段は，前記トランク呼の解除要請に基づいて前記接続されたトランク呼を解除することを特徴とする，請求項１，２，３，または４のうちのいずれか１項に記載のリングバック・トーンサウンドの提供方法。
【請求項６】
前記音源は，前記加入者に対して発信者別，発信者グループ別，及び／または，発信時間帯別に区分してそれぞれ異なる種の音源として既設定されたことを特徴とする，請求項１，２，３，４，または５のうちのいずれか１項に記載のリングバック・トーンサウンドの提供方法。
【請求項７】
前記第２段階は，前記呼の発信者の識別情報も前記音源提供手段に提供することを特徴とする，請求項１，２，３，４，５，または６のうちのいずれか１項に記載のリングバック・トーンサウンドの提供方法。
【請求項８】
前記音源提供手段は，インターネット網を介して，前記交換機に提供すべき音源の種を指示する音源指示情報を前記音源提供手段に知らせる音源提供制御手段に接続するとともに，前記音源提供制御手段から知らされた前記音源指示情報に基づいて前記交換機に音源を提供するように構成されており，
前記インターネット網を介して前記音源提供制御手段に接続されたウェブサーバが，前記加入者によって所望の音源が選択されたときに，前記音源提供制御手段に前記音源指示情報を変更することを知らせ，
前記音源提供制御手段は，前記音源指示情報を変更することが前記ウェブサーバから知らされたときに，前記加入者に割り当てられた前記音源指示情報の内容を，前記所望の音源を示す前記音源指示情報に変更することを特徴とする請求項１，２，３，４，５，６又は７のうちのいずれか１項に記載のリングバック・トーンサウンドの提供方法。
【請求項９】
前記音源提供手段は，インターネット網を介して，前記交換機に提供すべき音源の種を指示する音源指示情報を前記音源提供手段に知らせる音源提供制御手段に接続するとともに，前記音源提供制御手段から知らされた前記音源指示情報に基づいて前記交換機に音源を提供するように構成されており，
前記インターネット網を介して前記音源提供手段に接続されたウェブサーバが，前記加入者によって音源が追加されたときに，前記音源提供手段に音源を追加することを知らせるとともに，追加された音源を前記音源提供手段に送信し，
前記音源提供手段は，音源を追加することが前記ウェブサーバから知らされたときに，前記ウェブサーバから受信した前記追加される音源を記憶するとともに，前記追加される音源に対応する前記音源指示情報を前記音源提供制御手段に追加することを特徴とする請求項１，２，３，４，５，６，７または８のうちいずれか１項に記載のリングバック・トーンサウンドの提供方法。
【請求項１０】
移動通信網において，
各種音源を備えて，任意の交換機と接続されて前記備わった音源をその交換機側に提供する音源提供手段と；
前記音源提供手段が前記交換機に提供すべき音源の種を指示する音源指示情報を，トランク呼接続を通して受信された加入者の識別情報に基づいて選択して前記音源提供手段に知らせる音源提供制御手段と；
ホーム位置登録器において，端末機の位置が登録される際，既設定されたリングバック・トーンの代替サービスに加入しているか否かを示す加入情報，及び，前記リングバック・トーンの代替サービスに加入している加入者による切り替えが可能であって，前記リングバック・トーンの代替サービスを行う活性状態，及び，前記リングバック・トーンの代替サービスを行わない非活性状態のいずれかであることを示す活性情報を有する第１情報と，前記音源提供手段にルーティングするための第２情報とを，加入者に対するプロファイル情報に記録するホーム位置登録器と；
加入者の位置登録時に前記ホーム位置登録器と通信してその加入者に対して設定された前記第１情報及び前記第２情報を受信して貯蔵し，呼が着信されたときに，前記貯蔵された前記加入情報が前記リングバック・トーン代替サービスに加入していないことを示しているとき，及び，前記加入情報が前記リングバック・トーン代替サービスに加入していることを示し，且つ，前記活性情報が前記非活性状態にあることを示しているときのいずれかのときに，その発信者にリングバック・トーンを提供し，
前記加入情報が前記リングバック・トーン代替サービスに加入していることを示し，且つ，前記活性情報が前記活性状態にあることを示しているときに，前記貯蔵された第１情報及び第２情報に基づいて前記音源提供手段にトランク呼接続して前記加入者の識別情報を提供し，その結果として前記音源提供手段から受信された音源を，リングバック・トーンの代わりにその発信者に提供する交換機と；
を含んで構成されることを特徴とするリングバック・トーンサウンドの提供装置。
【請求項１１】
前記交換機は，加入者の位置登録時に前記ホーム位置登録器と通信してその加入者に対して設定された前記第１情報及び前記第２情報を受信して貯蔵することを特徴とする，請求項１０に記載のリングバック・トーンサウンドの提供装置。
【請求項１２】
前記交換機は，任意の加入者に呼が着信すれば，その加入者に対する前記第１情報及び前記第２情報に基づいて前記音源提供手段に前記加入者の識別情報を提供することを特徴とする，請求項１０または１１に記載のリングバック・トーンサウンドの提供装置。
【請求項１３】
前記交換機は，前記加入者の識別情報外に呼の発信者の識別情報も前記音源提供手段に提供することを特徴とする，請求項１０，１１または１２のうちいずれか１項に記載のリングバック・トーンサウンドの提供装置。
【請求項１４】
インターネット網を介して前記音源提供制御手段に接続されたウェブサーバをさらに有し，
前記音源提供手段と前記音源提供制御手段とが前記インターネット網を介して接続されており，
前記ウェブサーバは，前記加入者によって所望の音源が選択されたときに，前記音源提供制御手段に前記音源指示情報を変更することを知らせ，
前記音源提供制御手段は，前記音源指示情報を変更することが前記ウェブサーバから知らされたときに，前記加入者に割り当てられた前記音源指示情報の内容を前記所望の音源を示す前記音源指示情報に変更することを特徴とする請求項１０，１１，１２，または１３のうちいずれか１項に記載のリングバック・トーンサウンドの提供装置。
【請求項１５】
インターネット網を介して前記音源提供手段に接続されたウェブサーバをさらに有し，
前記音源提供手段と前記音源提供制御手段とが前記インターネット網を介して接続されており，
前記ウェブサーバは，前記加入者によって音源が追加されたときに，前記音源提供手段に音源を追加することを知らせるとともに，追加される音源を前記音源提供手段に送信し，
前記音源提供手段は，音源を追加することが前記ウェブサーバから知らされたときに，前記ウェブサーバから受信した前記音源を記憶するとともに，追加された音源に対応する音源指示情報を前記音源提供制御手段に追加することを特徴とする請求項１０，１１，１２，１３または１４のうちいずれか１項に記載のリングバック・トーンサウンドの提供装置。
【発明の詳細な説明】
【技術分野】
【０００１】
本発明は，着信加入者が所望する特定サウンドを発信者にリングバック・トーン（Ｒｉｎｇ Ｂａｃｋ Ｔｏｎｅ）で提供する，加入者基盤のリングバック・トーンサウンドの提供方法及び提供装置に関する。
【背景技術】
【０００２】
一般的に，従来の移動通信網において発信者が電話通話を試みた場合，着信加入者の交換機は画一的なリングバック・トーンサウンドを発信者に聞かせる方式を採択している。
【発明の開示】
【発明が解決しようとする課題】
【０００３】
このような従来のリングバック・トーンサウンド方式は，画一的で同一のトーンを提供するので，着信者が応答するまでは発信者が誤接続の有無を判断できず，また，ユーザーの特性に符合する多様なリングバック・トーンサウンドの代替サービスが提供できない問題があった。
【０００４】
一方，最近になって上記のような画一的なリングバック・トーンサウンドの代わりに，多様な広告音を聞かせる方法が提案された。しかしこれも，加入者の選択権はなく，一方的に通信網事業者が選択した特定広告音を発信者に聞かせて，以後所定時間無料で通話させる方式である。このため，着信者が応答するまでは発信者が誤接続の有無を判断することができない。また，ユーザーの特性に符合する多様なリングバック・トーンサウンドサービスを提供できない問題があった。
【０００５】
本発明は上記のような従来の問題点を解決するために創作されたものであり，その目的は，加入者が登録または選択した特定音またはサウンドを別途のサーバに貯蔵しておいて，呼が発生すれば着信交換機がこのサーバと通信し，着信加入者が指定した特定音またはサウンドを受信してこれを既存のリングバック・トーンサウンドの代わりに発信者に提供する，加入者基盤のリングバック・トーンサウンドサービスの提供方法及び提供装置を提供することにある。
【課題を解決するための手段】
【０００６】
上記目的を達成するために，本発明による加入者基盤のリングバック・トーンサウンドの提供方法は，着信加入者の位置登録時に，既設定されたリングバック・トーンの代替サービスに加入しているか否かを示す加入情報，及び，リングバック・トーンの代替サービスに加入している加入者による切り替えが可能であって，リングバック・トーンの代替サービスを行う活性状態，及び，リングバック・トーンの代替サービスを行わない非活性状態のいずれかであることを示す活性情報を有する第１情報と，音源提供手段でルーティングするための第２情報とを，ホーム位置登録器からその着信交換機に提供する第１段階と；着信交換機で，加入情報がリングバック・トーンの代替サービスに加入していないことを示しているとき，及び，加入情報が前記リングバック・トーンの代替サービスに加入していることを示し，且つ，活性情報が前記非活性状態にあることを示しているときのいずれかのときに，呼の発信者にリングバック・トーンを提供し，加入情報がリングバック・トーンの代替サービスに加入していることを示し，且つ，活性情報が活性状態にあることを示しているときに，提供された第１情報及び第２情報に基づいて，音源提供手段にトランク呼接続を要請して加入者識別情報を提供する第２段階と；及び，音源提供手段で，着信加入者情報に基づいて既指定された音源を探索して，その探索された音源をリングバック・トーンの代わりにしてトランク呼接続された着信交換機を通して発信者に提供する第３段階とを含んで構成されることを特徴とする。
【０００７】
上記の過程中に，着信交換機は，着信加入者の呼応答認知時に音源提供手段にトランク呼解除を要請して，音源提供手段はこれによりトランク接続された呼を解除して音源の提供を終了する。
【発明を実施するための最良の形態】
【０００８】
以下，添付図面を参照しながら本発明の望ましい実施の形態による加入者基盤のリングバック・トーンサウンドの提供方法及び提供装置を詳細に説明する。なお，本明細書及び図面において，実質的に同一の機能構成を有する構成要素については，同一の符号を付することにより重複説明を省略する。
【０００９】
図１は，本発明の一実施の形態による加入者基盤のリングバック・トーンサウンドの提供装置のブロック構成図である。
【００１０】
図１を見れば，本実施の形態の装置は，ホーム位置登録器（ＨＬＲ）１０と；シグナリングトランスファプロトコル（Ｓｉｇｎａｌｌｉｎｇ Ｔｒａｎｓｆｅｒ Ｐｒｏｔｏｃｏｌ：ＳＴＰ）基盤のＮｏ．７網２０を媒介にして，ホーム位置登録器（ＨＬＲ）１０と通信する交換機（Ｏ＿ＭＳＣ／ＶＬＲ，Ｔ＿ＭＳＣ／ＶＬＲ）３１，３２と；Ｎｏ．７網２０に連結されてゲートウェイ４０を媒介にして交換機３１，３２と通信する，音源提供装置（Ｉｎｔｅｌｌｉｇｅｎｔ Ｐｅｒｉｐhｅｒａｌ：ＩＰ）５０と；インターネット網６０を媒介にして音源提供装置５０とデータ通信する，音源提供制御サーバ（ＩＰ Ｓｅｒｖｅｒ）７０と；インターネット網６０を媒介にしてホーム位置登録器１０と連結された，加入者貯蔵データベース８０と；ゲートウェイ９０を媒介にしてインターネット網６０に連結されて音源提供装置５０及び音源提供制御サーバ７０と通信する，ウェブサーバ（Ｗｅｂ Ｓｅｒｖｅｒ）１００で構成されている。
【００１１】
ホーム位置登録器１０は，既存の網構成要素としての機能を有する。そして，リングバック・トーンの代替可否に対する第１情報と，音源提供装置５０にルーティングするための第２情報を，着信加入者に対するプロファイル情報として既設定して有している機能が追加される。これらの情報は，着信加入者プロファイルの付加サービス加入情報として設定貯蔵されている。
【００１２】
交換機３１，３２は，既存の網構成要素としての機能を有する。そして，着信加入者の位置登録時に，ホーム位置登録器１０と通信して既設定された第１情報及び第２情報を受信して貯蔵し，着信加入者の呼接続要請時に貯蔵された第１情報及び第２情報に基づいた音源提供装置５０との通信で，リングバック・トーンの代わりの音源，例えば，特定サウンドまたはオーディオデータを受信し，その受信された音源をその発信者にリングバック・トーンの代替音として提供する特徴をさらに有する。
【００１３】
音源提供装置５０は，各種音源を貯蔵して備え，ゲートウェイ４０を媒介にして交換機３１，３２と接続され，通信して貯蔵した音源を，その交換機３１，３２側に提供する特徴を有する。
【００１４】
音源提供制御サーバ７０は，インターネット網６０を媒介にして音源提供装置５０と通信する。そして，音源提供装置５０が交換機３１，３２に提供すべき音源の種を，呼接続要請された着信加入者の識別情報，これに対応する発信者の識別情報，及び／または，呼接続要請時間帯情報との組合せに基づいて特定する（例えば，各種の音源を，発信者別，発信者グループ別，発信者年令別，性別，職業別，及び／または，発信時間帯別等にそれぞれ特定する）機能を有する。例えば，音源提供装置５０に貯蔵された複数の音源に対して，それぞれ固有コードを付与して，着信者が加入時または情報変更時に，発信者，発信者グループ，発信時間帯などを特定して選択し，これに対応する音源を特定する。このようにして，これに対する情報をテーブル等で有している途中で，そのテーブル情報に基づいてその音源が交換機３２側に提供されるように，音源提供装置５０を制御する。
【００１５】
ウェブサーバ１００は，インターネット網６０を媒介にして，音源提供装置５０または音源提供制御サーバ７０に連結される。そして，音源提供装置５０に音源を追加したり，音源提供制御サーバ７０の音源特定のための情報（例えば，特定発信者，発信者グループ，発信時間帯等）及びこれに対応する音源コードを変更する。これは，加入者がウェブサーバ１００で提供するウェブページを通して遂行することができる。
【００１６】
次に，図１の動作を説明する。特定音源送出サービスを利用しようとする着信加入者が，自身が属する事業者に申請すれば，加入者貯蔵データベース８０に登録され，その加入者貯蔵データベース８０で網内要素であるホーム位置登録器１０にサービス登録される。そのホーム位置登録器１０は，自身の加入者データベースにそのサービスを設定し，そのホーム位置登録器１０で現在サービス中である交換機（Ｓｅｒｖｉｎｇ交換機）３１または３２に，位置登録手続き発生時に，サービス情報及び音源提供装置（ＩＰ）５０にトランク呼を設定できるルーティングデータを伝送する。交換機３２は，その加入者サービスデータに伝達を受けたサービス情報及びルーティングデータを設定する。
【００１７】
任意の発信加入者が着信加入者に呼設定を要請すれば，ホーム位置登録器１０を通したルーティング情報交換により，発信交換機３１と着信交換機３２間にトランクＩＳＵＰ呼接続がなされる。着信交換機３２は，発信交換機３１とトランク呼接続になれば，設定されたサービス情報に基づいて特定音源送出サービスが設定されていることを感知する。そして，ルーティングデータを利用して音源提供装置５０にトランク呼接続と同時に着信加入者に，情報，例えば電話番号などを提供する。そして，同時に着信加入者には着信呼が流入したというページングを試みる。音源提供装置５０は，音源提供制御サーバ７０と連動して，その加入者がいかなる音源を設定したかを質疑する。そして，音源提供制御サーバ７０は，加入者が特定した音源に対するコードを，音源提供装置５０に搬送する。
【００１８】
音源提供装置５０は，そのコードに対する音源を，既存のリングバック・トーンの代わりに，着信交換機３２を通して発信交換機３１まで設定されたトランク呼を通して送出する。そして，発信加入者に着信加入者が呼応答するまで，音源を聴取できるようにする。着信加入者が着信呼を受信すれば，着信交換機３２は，音源提供装置５０に設定されていたトランク呼経路を切断して，着信加入者と発信加入者間の通話データは，既接続されたトランク呼を通して送受信する。
【００１９】
続いて，本発明の一実施の形態による加入者基盤のリングバック・トーンサウンドの提供方法について説明する。これは，図１の本実施の形態の装置に適用されるので，その動作と並行して説明する。
【００２０】
図２は，本実施の形態による加入者基盤リングバック・トーンサウンドの提供方法を利用するための，サービス加入の手続きを示した流れ図である。
【００２１】
まず，Ｓ２０１で，サービス，すなわち，加入者基盤リングバック・トーンサウンドサービスに対する加入要請があれば（Ｓ２０１），その要請によって要請者（すなわち，要請者の電話番号）に対してサービス加入されたことが，加入者貯蔵データベース８０に貯蔵される。これと同時にＳ２０２で，データベース８０からホーム位置登録器１０に，加入情報（電話番号包含）が伝えられ（Ｓ２０２），Ｓ２０３で，そのホーム位置登録器１０の加入者プロファイルに，本実施の形態のサービスに対して加入されたことが設定される（Ｓ２０３）。これと同時にＳ２０４で，加入時にデータベース８０から音源提供制御サーバ７０に新規加入者電話番号と加入者により選択された音源種などを含んだ新規加入者情報が伝えられる（Ｓ２０４）。そして，音源提供制御サーバ７０は，Ｓ２０５で，伝達を受けた新規加入者情報に基づいて，その新規加入者の電話番号に連係して選択された音源のコードを割り当てる（Ｓ２０５）。
【００２２】
一方，Ｓ２０５で，新規加入者情報にその着信加入者に対して，例えば特定発信者別，発信者グループ別，時間帯別等に他の音源を送るように特定する情報が含まれていれば，それぞれ区分して音源コードを割り当てるようにする（Ｓ２０５）。
【００２３】
以後，Ｓ２０６で，ホーム位置登録器１０は，着信交換機３２から上がってくる位置登録要請メッセージ（Ｒｅｇｉｓｔｒａｔｉｏｎ Ｎｏｔｉｆｉｃａｔｉｏｎ）があれば（Ｓ２０６），Ｓ２０７で，加入者プロファイルを確認して本実施の形態のサービス加入者からの位置登録要請であるのか（すなわち，位置登録要求端末が，本実施の形態のサービスに加入されたのか）を確認（Ｓ２０７）した後，加入者でない場合，Ｓ２０８−１で，既存の方式と同一に位置登録に対する応答メッセージのみを着信交換機３２に降ろして与える（Ｓ２０８−１）。一方，Ｓ２０８−２で，加入者である場合，位置登録に対する応答メッセージ内に本実施の形態のサービス設定情報及び音源提供装置５０へのルーティング情報（例えば，音源提供装置５０にルーティングできる番号：Ｒｏｕｔｉｎｇ Ｄｉｇｉｔｓ 等）を含んで着信交換機３２に降ろして与え，その着信交換機３２がその情報を有しているようにする（Ｓ２０８−２）。
【００２４】
サービス設定情報の伝達方法の一例を説明すれば，図６に示したように，付加サービスパラメータ（Ｃａｌｌｉｎｇ Ｆｅａｔｕｒｅｓ Ｉｎｄｉｃａｔｏｒ２）の予備フィールド（ｒｅｓｅｒｖｅ ｆｉｅｌｄ）を，リングバック・トーンフィールド（Ｓｐｅｃｉｆｉｃ Ｒｉｎｇ Ｂａｃｋ Ｔｏｎｅ：ＳＲＢＴ）として用いる。そして，そのＳＲＢＴフィールドに，２ビットのデータ（例えば，'１０'は，サービス加入であって非活性状態，'１１'は，サービス加入であって活性状態）で表示されるように，位置登録応答メッセージ内に含んでホーム位置登録器１０から着信交換機３２に伝えられる。
【００２５】
参考に，図６のＶＭＳＢフィールドは，ボイスメールサービスビジー（Ｖｏｉｃｅ Ｍａｉｌ Ｓｅｒｖｉｃｅ Ｂｕｓｙ）状態を，ＶＭＳＵフィールドは，ボイスメールサービスビジーアンコンディショナル（Ｖｏｉｃｅ Ｍａｉｌ Ｓｅｒｖｉｃｅ Ｂｕｓｙ Ｕｎｃｏｎｄｉｔｉｏｎａｌ）状態を，ＶＭＳＮＡフィールドは，ボイスメールサービスビジーノアンサー（Ｖｏｉｃｅ ＭａｉｌＳｅｒｖｉｃｅ Ｂｕｓｙ Ｎｏ Ａｎｓｗｅｒ）状態を，ＦＭＳＮＡフィールドは，ファックスメールサービスノアンサー（Ｆａｘ Ｍａｉｌ Ｓｅｒｖｉｃｅ Ｎｏ Ａｎｓｗｅｒ）状態を，ＦＭＳＢフィールドは，ファックスメールサービスビジー（Ｆａｘ Ｍａｉｌ Ｓｅｒｖｉｃｅ Ｂｕｓｙ）状態を，ＦＭＳＵフィールドは，ファックスメールサービスアンコンディショナル（Ｆａｘ Ｍａｉｌ Ｓｅｒｖｉｃｅ Ｕｎｃｏｎｄｉｔｉｏｎａｌ）状態を，ＭＣフィールドは，マルチコール（Ｍｕｌｔｉ−Ｃａｌｌ）を，ＣＣフィールドは，コンファレンスコール（Ｃｏｎｆｅｒｅｎｃｅ Ｃａｌｌ）を，ＭＵＤＮフィールドは，マルチプルユニットディレクトリナンバー（Ｍｕｌｔｉｐｌｅ Ｕｎｉｔ Ｄｉｒｅｃｔｏｒｙ Ｎｕｍｂｅｒ）を，各々２ビットデータで表示する付加サービスを示す。
【００２６】
図３は，本実施の形態による加入者基盤リングバック・トーンサウンドの提供方法を利用するための，サービス変更／追加手続きを示した流れ図である。
【００２７】
まず，上述したように，図２の手順によって加入された加入者が，パーソナルコンピュータなどを利用して指定されたウェブサーバ１００に接続すれば，そのウェブサーバ１００は，本実施の形態のサービスに対して，変更／追加できるウェブページをそのコンピュータの画面に提供する。
【００２８】
Ｓ３０１で，加入者がウェブページを通して自身の電話番号を入力した後，音源提供装置５０に予め確保された音源のリストを見て，その中から所望する一つを選択することによって代替音変更を要請する（Ｓ３０１）。そしてウェブサーバ１００は，Ｓ３０２で，音源提供制御サーバ７０に代替音変更を要請する（Ｓ３０２）。そして，音源提供制御サーバ７０は，この要請に基づいて，Ｓ３０３で，加入者（電話番号）に対して予め連係設定された音源コードを解除し，選択された音源のコードを連係貯蔵する（Ｓ３０３）。そしてその後，その選択された音源が，加入者電話番号の発信者にリングバック・トーンの代わりに提供されるようにする。
【００２９】
一方，Ｓ３０４で，加入者がウェブページを通して音源追加を選択した後，自身の電話番号と一緒に自身が作ったり，獲得した肉声案内音ファイル，ロゴファイル，特定音楽ファイルなどを添付してウェブサーバに伝達することによって代替音追加を要請すれば（Ｓ３０４），ウェブサーバ１００は，Ｓ３０５で，音源提供装置５０に代替音追加を要請する（Ｓ３０５）。そして，音源提供装置５０は，Ｓ３０６で，この要請に基づいて添付されたファイルを追加音源として確保する（Ｓ３０６）と同時に，Ｓ３０７で，音源提供制御サーバ７０にその追加音源のコードを割り当てて，そのコードがその加入者電話番号に連係されるように要請する（Ｓ３０７）。
【００３０】
図４は，本実施の形態による加入者基盤のリングバック・トーンサウンドの提供方法の，解約手続きを示した流れ図である。
【００３１】
まず，Ｓ４０１で，本実施の形態のサービス，すなわち，加入者基盤リングバック・トーンサウンドサービスに対する加入者からの解約要請があれば（Ｓ４０１），その要請によって要請者（すなわち，要請者電話番号）に対してサービス加入が解約されるように，加入者貯蔵データベース８０を更新すると同時に，Ｓ４０２で，データベース８０からホーム位置登録器１０に解約情報（電話番号包含）が伝えられる（Ｓ４０２）。そして，そのホーム位置登録器１０は，Ｓ４０３で，その加入者プロファイルを本実施の形態のサービスに対して加入解約されるように更新する（Ｓ４０３）。これと同時に，解約時に，Ｓ４０４で，データベース８０から音源提供制御サーバ７０に解約加入者電話番号が含まれた解約情報（すなわち，加入者削除情報）が伝えられて（Ｓ４０４），音源提供制御サーバ７０は，伝達を受けた解約情報に基づいて，Ｓ４０５で，Ｓ２０５で割り当てられた音源のコードをサービステーブルから除去する（Ｓ４０５）。
【００３２】
図５は，図２，及び／または，図３の手続きが完了した後に遂行される，本実施の形態による加入者基盤のリングバック・トーンサウンドの提供方法の手続きを示した流れ図である。
【００３３】
まず，任意の発信者が本実施の形態のサービス加入者（以後，「着信加入者」と称する）に電話して呼接続を要請すれば，その発信交換機３１は，Ｓ５０１で，ホーム位置登録器１０に着信位置情報を要請する（Ｌｏｃａｔｉｏｎ Ｒｅｑｕｅｓｔ）（Ｓ５０１）。
【００３４】
ホーム位置登録器１０は，Ｓ５０２で，この要請によって着信交換機３２にルーティング情報を要請する（Ｒｏｕｔｉｎｇ Ｒｅｑｕｅｓｔ）（Ｓ５０２）。これにより，着信交換機３２は，Ｓ５０３で，ホーム位置登録器１０にルーティング情報（すなわち，ＴＬＤＮ：Ｔｅｍｐｏｒａｒｙ Ｌｏｃａｌ Ｄｉｒｅｃｔｏｒｙ Ｎｕｍｂｅｒ）を提供して応答する（Ｓ５０３）。
【００３５】
ホーム位置登録器１０は，Ｓ５０４で，ルーティング情報を発信交換機３１に伝送して，Ｓ５０１に応答する（Ｓ５０４）。これにより，発信交換機３１は，Ｓ５０５で，ルーティング情報に基づいて，着信交換機３２にトランクＩＳＵＰ呼接続を要請して，相互通話路を形成する（Ｓ５０５）。
【００３６】
続いて，着信交換機３２は，自身に貯蔵された本実施の形態のサービス設定情報（図２の，Ｓ２０８−２から受けて貯蔵された，図６のＳＲＢＴフィールド）を見た後，そのＳＲＢＴフィールドが'１１'に表示されていれば，着信者がリングバック・トーンサウンドの提供サービスの加入者であってサービス活性化状態であることを認知する。そして，Ｓ５０６で，図２のＳ２０８−２から受けて貯蔵されたルーティング情報に基づいて，音源提供装置５０にＩＳＵＰ呼接続を要請し，相互通話路を形成し，このとき着信者電話番号及び発信者電話番号も一緒に提供する（Ｓ５０６）。このような過程期間に，発信交換機３１は通常のリングバック・トーンを送出しない。
【００３７】
上記の結果，発信交換機３１，着信交換機３２，及び音源提供装置５０は，通話路が形成された状態である。
【００３８】
着信者電話番号外に発信者電話番号も音源提供装置５０に提供する理由は，発信者別または発信者グループ別に相異なった音源をリングバック・トーンサウンドとして提供することができるようにするためである。
【００３９】
音源提供装置５０は，Ｓ５０７で，提供を受けた着信電話番号と発信電話番号（発信電話番号も一緒に受信される場合）情報に基づいて，音源提供制御サーバ７０に音源コードを要請する（Ｓ５０７）。そして，Ｓ５０８で，音源提供制御サーバ７０は，要請によって提供を受けた着信電話番号に，または，着信及び発信電話番号に連係して（着信番号も一緒に受信される場合），指定された音源コードを探索してその探索された音源コードを音源提供装置５０に伝達して，Ｓ５０７に応答する（Ｓ５０８）。そして，Ｓ５０９で，音源提供装置５０は，伝達を受けた音源コードに該当する代替音を，リングバック・トーンサウンドにして，形成された通話路（音源提供装置５０と着信交換機３２間に形成されたトランク呼，及び，着信交換機３２と発信交換機３１間に形成されたトランク呼）を通して発信者にリングバック・トーンサウンドとして伝送する（Ｓ５０９）。
【００４０】
音源提供制御サーバ７０は，音源を探索するにおいて，現在の時間帯を参照して探索することもできる。このような探索条件により，呼発生時間帯別に他の音源を発信者に提供することができる。
【００４１】
着信交換機３２は，Ｓ５１０で，上記のように代替音がリングバック・トーンサウンドとして伝えられているときに，着信加入者がページングに応答して呼を受諾すれば，音源提供装置５０にＩＳＵＰ呼解除を要請してその音源提供装置５０が呼を解除させる（Ｓ５１０）。そして，Ｓ５１１で，これと同時に，発信交換機３１と相互形成されたトランク通話路を通して，発信者と着信加入者間に通話がなされるようにする（Ｓ５１１）。
【００４２】
一方，本実施の形態による加入者基盤リングバック・トーンサウンドの提供方法では，着信加入者がホーム位置登録器１０に接続して，そのホーム位置登録器１０のＳＲＢＴフィールドに設定された本実施の形態のサービス設定情報を変更できるようにする。例えば，着信加入者が自身の移動端末機を通して約束された特定キーを押せば，そのキー情報はホーム位置登録器１０に伝えられる。そして，ホーム位置登録器１０は，伝えられたキー情報に基づいてＳＲＢＴに表示された２ビットの情報を変えることができる。但し，２ビット中上位ビットは，本実施の形態のサービスの加入の有無（加入情報）を示すので変更できないようにして，下位ビットはサービス活性化有無（活性情報）を示すので変更できるようにする。すなわち，加入者の場合，ＳＲＢＴに表示されるデータは，'１０'と'１１'の２種があり，'１０'はサービス非活性化を示し，'１１'はサービス活性化を示す。このとき，'１０'を'１１'に，または'１１'を'１０'に，特定キーの選択によって変更できるようにすることによって，着信加入者が自身の意志とおりに既存のリングバック・トーンをそのまま用いるか，そうでなければ自身が定めた代替音をリングバック・トーンとして用いるかを選択することができるようになる。したがって，着信交換機３２は，ＳＲＢＴフィールドが'１０'になっていれば，加入者である場合にも既存の方式と同一のリングバック・トーンを発信者に提供させるようにする。
【００４３】
以上，添付図面を参照しながら本発明のリングバック・トーンサウンドの提供方法及びリングバック・トーンサウンドの提供装置の好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００４４】
上記に詳細に説明された本発明による加入者基盤のリングバック・トーンサウンドの提供方法及び提供装置によると，着信加入者自身が所望する音源をネットワーク上に登録したり，選択して，自身の広告を出すことができる個人ＰＲサービス手段を提供して，発信者は呼要請後に聞こえるリングバック・トーンサウンドによって，着信加入者を正しく知ることができ，誤った着信者指定を予め知ることができる。また，企業体等の着信加入者もリングバック・トーンサウンドを通して，自身の会社を広告を出すことができる効果的な広告手段が提供できる。
【００４５】
また，着信加入者は，リングバック・トーン代替サービスに加入している場合に，発信者にリングバック・トーンを提供するか，リングバック・トーンの代わりに音源提供装置から送出された音源を提供するかを自由に選択することができる。
【図面の簡単な説明】
【００４６】
【図１】図１は，本実施の形態による加入者基盤リングバック・トーンサウンドの提供装置のブロック構成図である。
【図２】図２は，本実施の形態による加入者基盤リングバック・トーンサウンドの提供方法におけるサービス加入手続きを示した流れ図である。
【図３】図３は，本実施の形態による加入者基盤リングバック・トーンサウンドの提供方法におけるサービス変更／追加手続きを示した流れ図である。
【図４】図４は，本実施の形態による加入者基盤リングバック・トーンサウンドの提供方法におけるサービス解約手続きを示した流れ図である。
【図５】図５は，本実施の形態による加入者基盤リングバック・トーンサウンドの提供方法における，図２及び／または図３の手続きが完了した後に遂行される実質的なサービス手続きを示した流れ図である。
【図６】図６は，本実施の形態による加入者基盤リングバック・トーンサウンドの提供方法におけるホーム位置登録器から着信交換機に伝えられる付加サービス設定メッセージ形態を示した図である。
【符号の説明】
【００４７】
１０：ホーム位置登録器
２０：Ｎｏ．７網
３１，３２：交換機
４０，９０：ゲートウェイ
５０：音源提供装置
６０：インターネット網
７０：音源提供制御サーバ
８０：加入者貯蔵データベース
１００：ウェブサーバ
【図１】
2006311616.tif 000003
【図２】
2006311616.tif 000004
【図３】
2006311616.tif 000005
【図４】
2006311616.tif 000006
【図５】
2006311616.tif 000007
【図６】
2006311616.tif 000008